(57)【要約】【課題】換気装置を屋根、特に棟部に取り付けた際に、その高さを低く抑える。【解決手段】棟包み５０を備えた屋根の棟部に形成された屋根開口部７の上方に設けられ、屋根開口部７からの排気を外部に導出する排気通路３５が形成された屋根の換気装置１０において、当該換気装置１０の高さを減少させるべく排気通路３５の一部を棟包み５０の下方に設ける。【選択図】      図１
2004244917.tif 000002
【特許請求の範囲】
【請求項１】
棟包み（５０）を備えた屋根の棟部に形成された屋根開口部（７）の上方に設けられ、屋根開口部（７）からの排気を外部に導出する排気通路（３５）が形成された屋根の換気装置において、
当該換気装置（１０）の高さを減少させるべく排気通路（３５）の一部を棟包み（５０）の下方に設けることを特徴とする屋根の換気装置。
【請求項２】
棟包み（５０）が一部取り去られた棟部に設けられた下部材（１２）と、この下部材（１２）の上方に配置される上部材（１３）とを備え、
前記下部材（１２）は、屋根流れ方向に沿った一対の下部材傾斜部（１６）と、その軒側下端側から屋根面（４）側に下方突出する下部材垂下部（１７）とを有し、
前記上部材（１３）は、屋根流れ方向に沿った一対の上部材傾斜部（２２）と、その軒側下端側から屋根面（４）側に下方突出し且つ下部材垂下部（１７）より軒側に位置する上部材垂下部（２３）を有しており、
下部材傾斜部（１６）と上部材傾斜部（２２）とで挟まれた空間、及び、下部材垂下部（１７）と上部材垂下部（２３）とで挟まれた空間が排気通路（３５）であって、
前記棟包み（５０）は、屋根流れ方向に沿った一対の棟包み傾斜部（５１）と、その軒側下端側から屋根面（４）側に下方突出する棟包み垂下部（５２）とを有しており、
前記排気通路（３５）の一部が棟包み傾斜部（５１）の下方で且つ棟包み垂下部（５２）より棟側に配置されるように、下部材垂下部（１７）を棟包み垂下部（５２）より棟側に設けることを特徴とする請求項１に記載の屋根の換気装置。
【請求項３】
前記上部材（１３）の上方に配置される覆い部材（１４）を備え、この覆い部材（１４）と上部材（１３）とで挟まれた空間は外気が通風する通風路（３７）となっており、この通風路（３７）に前記排気通路（３５）が連通することを特徴とする請求項２に記載の屋根の換気装置。
【請求項４】
前記排気通路（３５）に、下部材垂下部（１７）により少なくとも１カ所の上下屈曲部（３６）を形成することを特徴とする請求項２又は３に記載の屋根の換気装置。
【請求項５】
前記棟包み（５０）を伝って雨水が浸入することを防ぐべく、下部材（１２）の棟方向両側に棟包み（５０）を上方から配置して、下部材傾斜部（１６）に棟包み傾斜部（５１）の棟側を重合させており、上部材（１３）の棟方向両側に設けられた側板（５４）で、棟包み傾斜部（５１）の軒側であって下部材傾斜部（１６）に重合していない部分と棟包み垂下部（５２）との間の空間を塞いでいることを特徴とする請求項２〜４のいずれかに記載の屋根の換気装置。
【発明の詳細な説明】
【０００１】
【発明の属する技術分野】
本発明は、屋根の換気装置に関するものである。
【０００２】
【従来の技術】
特許文献１には、下部材、上部材、ならびに覆い部材の３つの部材を有し、下部材と上部材とで挟まれた空間が排気通路であり、上部材と覆い部材とに挟まれた空間が通風路となっている換気装置が開示されており、この換気装置は屋根、特に棟部に設置可能なものとなっている。
開示された換気装置は、前記下部材が棟包みと略同一断面形状であり、棟包みに上方から覆い被さり重合するように配置されるものであって、その上に、上部材及び覆い部材が順に配置されている。前記排気通路は外部からの風雨の浸入を防ぐため、上下に延びる壁が形成されラビリンス構造（迷路構造）となっている。
【０００３】
【特許文献１】
特開２００１−２５４４９２号公報  （第４〜５頁、図１）
【０００４】
【発明が解決しようとする課題】
しかしながら、前記換気装置は、下、上、覆いの３つの部材を上下方向に一定の空間を形成するように重ね合わせる構成であるために、前記空間（換気面積）を十分に確保すると装置自体の高さが自ずと高くなっていた。特に、排気通路をラビリンス構造にする必要があるため、特に下部材と中部材とを近接して配置することができず、換気装置の高さを抑えることが困難であった。さらに、それらを棟包みの上に配置するものとなっていたため、設置後の換気装置は屋根面から非常に高い所に位置するようになっていた。
【０００５】
棟部に設置された換気装置の高さを低くすることは、屋根上に設置した際の見栄え（意匠性）をよくするばかりでなく、強風による破損等を防ぐことを可能とするものである。
そこで、本発明は、上記問題点に鑑み、屋根、特に棟部に取り付けた際に、高さを低く抑えることのできる屋根の換気装置を提供することを目的とするものである。
【０００６】
【課題を解決するための手段】
前記目的を達成するため、本発明方法においては次の手段を講じた。
すなわち、本発明の特徴とするところは、棟包みを備えた屋根の棟部に形成された屋根開口部の上方に設けられ、屋根開口部からの排気を外部に導出する排気通路が形成された屋根の換気装置において、当該換気装置の高さを減少させるべく排気通路の一部を棟包みの下方に設ける点にある。
これにより、排気通路の一部が棟包みの下方に位置するようになるため、換気装置を屋根、特に棟部に取り付けた際に、その高さを低く抑えることのできるようになる。
【０００７】
また、本発明の特徴とするところは、棟包みが一部取り去られた棟部に設けられた下部材と、この下部材の上方に配置される上部材とを備え、前記下部材は、屋根流れ方向に沿った一対の下部材傾斜部と、その軒側下端側から屋根面側に下方突出する下部材垂下部とを有し、前記上部材は、屋根流れ方向に沿った一対の上部材傾斜部と、その軒側下端側から屋根面側に下方突出し且つ下部材垂下部より軒側に位置する上部材垂下部を有しており、下部材傾斜部と上部材傾斜部とで挟まれた空間、及び、下部材垂下部と上部材垂下部とで挟まれた空間が排気通路であって、前記棟包みは、屋根流れ方向に沿った一対の棟包み傾斜部と、その軒側下端側から屋根面側に下方突出する棟包み垂下部とを有しており、前記排気通路の一部が棟包み傾斜部の下方で且つ棟包み垂下部より棟側に配置されるように、下部材垂下部を棟包み垂下部より棟側に設ける点にある。
【０００８】
これにより、下部材垂下部が断面側面視で棟包みの内側に配置されるようになり、上部材垂下部と下部材垂下部とで挟まれた空間からなる排気通路の一部が棟包み内に位置するようになる。したがって、屋根に設置された換気装置の高さを低くすることが可能となる。
また、本発明の特徴とするところは、前記上部材の上方に配置される覆い部材を備え、この覆い部材と上部材とで挟まれた空間は外気が通風する通風路となっており、この通風路に前記排気通路が連通する点にある。
【０００９】
これにより、屋根内の排気が排気通路を経由して通風路に導出されるようになる。通風路に流れ込んだ排気は外気と共に外部に排出されるようになる。
また、本発明の特徴とするところは、前記排気通路に、下部材垂下部により少なくとも１カ所の上下屈曲部を形成する点にある。
これにより、雨を含んだ外気が排気通路に入り込もうとしても、少なくとも１カ所以上の上下屈曲部がその浸入を防ぐことになる。したがって、風雨が排気通路を経由して屋根開口部から屋根内に入り込むことを防止することができるようになる。
【００１０】
また、本発明の特徴とするところは、前記棟包みを伝って雨水が浸入することを防ぐべく、下部材の棟方向両側に棟包みを上方から配置して、下部材傾斜部に棟包み傾斜部の棟側を重合させており、上部材の棟方向両側に設けられた側板で、棟包み傾斜部の軒側であって下部材傾斜部に重合していない部分と棟包み垂下部との間の空間を塞いでいる点にある。
これにより、下部材傾斜部に棟包み傾斜部の棟側が重合され、さらに、上部材の棟方向両側に設けられた側板で、下部材傾斜部に重合していない棟包み傾斜部と棟包み垂下部との間の空間が塞がれるようになる。ゆえに、棟包みを伝って雨水が換気装置内に浸入することを防止できるようになる。
【００１１】
【発明の実施の形態】
以下、本発明の第１実施形態を図にもとづいて説明する。
図１において、１は棟木、２は垂木、３は野地板で、棟木１と垂木２とで組み上げた屋根の骨組上に野地板３が張り付けられている。この野地板３の上面には、アスファルトルーフィング等の防水シート５が敷かれ、その上にスレート瓦等の屋根材６が葺かれている。
屋根の棟部分には、野地板３及び屋根材６等を切り欠いてなる屋根開口部７が設けられ、この屋根開口部７の上方に、棟を挟む一対の屋根面４間に跨るように換気装置１０が設けられている。なお、前記屋根開口部７の梁間方向両縁には、屋根面４を伝って雨水が浸入することを防ぐために、屋根面４から垂直に立設する水切り部材１１が設けられている。
【００１２】
以下、説明において、屋根流れ方向での棟側を単に棟側、屋根流れ方向での軒側を単に軒側と呼び、棟長手方向すなわち桁行方向を棟方向又は幅方向と呼び、換気装置１０の桁行き方向から見た面を側面、桁行方向から見た断面を単に断面と呼ぶ。
前記換気装置１０は、図１，２に示すように、防腐加工が施された板金等で形成された下部材１２と上部材１３と覆い部材１４とからなり、棟を挟む一対の屋根面４間に跨るように下部材１２が取り付けられ、この下部材１２に上方から覆い被さるように上部材１３が配置され、さらに、上部材１３に上方から覆い部材１４が覆い被さるようになっている。
【００１３】
詳しくは、前記下部材１２は、棟部から軒側へ延び、且つ、屋根面４の傾斜に対応するへの字形状に屈曲されてなる一対の下部材傾斜部１６を有し、この下部材傾斜部１６の軒側端から屋根面４に突き当たるように下部材垂下部１７が延設され、この下部材垂下部１７の先端から軒側へ屋根面４に沿って下部材設置部１８が延設されている。下部材設置部１８の軒側先端部は下方に曲げられた上で棟側に折り返されており、折り返し部１９となっている。
前記一対の下部材傾斜部１６の棟側で互いが突き当たる部位には、下部材排気口２０が形成されている。この下部材排気口２０は、図３に示すように、下部材１２の棟方向（長手方向）に長い略矩形の形状を有している。
【００１４】
前記一対の上部材１３は、棟部から軒側へ延び、且つ、屋根面４の傾斜に対応するへの字形状に屈曲されてなる一対の上部材傾斜部２２を有し、その軒側端から屋根面４に突き当たるように上部材垂下部２３が延設され、この上部材垂下部２３は、前記下部材垂下部１７より軒側に位置し、その先端には、棟側に向けて略９０度屈曲した上部材折曲縁部２４が形成されている。
前記一対の上部材傾斜部２２の軒側には、それぞれ上部材排気口２５が設けられおり、図３に示す如く、上部材１３の棟方向（長手方向）に長い略矩形の形状を有している。
【００１５】
前記覆い部材１４は、棟部から軒側へ延び、且つ、屋根面４の傾斜に対応するへの字形状に屈曲されてなる一対の覆い部材傾斜部２７を有し、その軒側端から屋根面４に垂下する覆い部材垂下部２８が設けられている。この覆い部材垂下部２８の先端には、棟側に向けて略９０度屈曲した覆い部材折曲縁部２９を有している。前記覆い部材垂下部２８は、上部材垂下部２３より軒側に位置するように設けられている。
前記下部材１２は、下部材設置部１８を屋根面４上に配置し、その上から釘等の締結具３１を野地板３に達するまで打ち込むことで、屋根面４上に固定されるようになっている。このとき、前記下部材排気口２０は、屋根開口部７の略上方に位置するように配置され、下部材設置部１８と屋根面４との間には、雨水が浸入することを防ぐべく防水材５７が挟み込まれている。また、前記折り返し部１９は、屋根面４に圧着するようになっており、雨水の浸入を防ぐようになっている。
【００１６】
さらに、上部材垂下部２３が下部材設置部１８の屋根流れ方向略中途部に、防水材５７を介して突き当たるように、前記上部材１３は下部材１２に対して上方から覆い被さっている。この際、下部材１２と上部材１３とは上下方向に一定の空間を保って設けられ、この空間が排気通路３５となっている。
詳しくは、下部材傾斜部１６と上部材傾斜部２２とに挟まれた空間、及び、それに続く下部材垂下部１７と上部材垂下部２３とに挟まれた空間で排気通路３５を構成している。この排気通路３５は、後述の垂下壁部材３８と下部材垂下部１７とで形成された上下屈曲部３６を有し、ラビリンス（迷路）構造となっている。
【００１７】
垂下壁部材３８は、下部材１２や上部材１３とは別の部材であり、上部材排気口２５と棟方向で略同じ幅を有している。さらに、図２で示すように、上部材傾斜部２２と重合する重合部３９と、重合部３９の軒側端から屋根側に垂下する垂下壁部４０とを有している。本実施形態の場合は、重合部３９と垂下壁部４０とは互いが略垂直に突き当たる構造ではなく、両者から斜めに突出した連結部４１を介して連結している。
前記重合部３９が上部材傾斜部２２内側から重合すると共に、垂下壁部４０が上部材排気口２５の棟側縁に位置するように、垂下壁部材３８は上部材１３に取り付けられている。
【００１８】
一方、覆い部材１４は上部材１３とは上下方向に一定の空間を保持するように、上部材１３の上方に配置されており、かかる空間が通風路３７となっている。すなわち、上部材傾斜部２２と覆い部材傾斜部２７との間、及び、上部材垂下部２３と覆い部材垂下部２８との間の空間が通風路３７であり、前記覆い部材折曲縁部２９は屋根面４とは接しておらず、その開口部分を介して通風路３７は外界と連通するようになっている。また、前記上部材排気口２５を介して、排気通路３５と通風通路とは連通している。
【００１９】
前述のように、一定の空間を保持しながら、各部材を上下方向に配置するために、図１，２に示す如く、当該換気装置１０には、下部材１２と上部材１３とを連結する第１連結部材４４と、上部材１３と覆い部材１４とを連結する第２連結部材４５とが設けられている。第１連結部材４４及び第２連結部材４５は、剛性のある片状の金具により構成されている。
第１連結部材４４は、上壁部４６と、上壁部４６の屋根流れ方向両縁から下方に突出した一対の垂下部４７と、各垂下部４７の先端から棟側に突出して下部材傾斜部１６に接する下壁部４８とを有している。
【００２０】
第２連結部材４５は、第１連結部材４４と略同一の形状であって、上壁部４６と、上壁部４６の屋根流れ方向両縁から下方に突出した一対の垂下部４７と、各垂下部４７の先端から棟側に突出して上部材傾斜部２２に接する下壁部４８とを有している。
屋根面４上に配置された下部材１２において、下部材傾斜部１６の外側で且つ軒側に第１連結部材４４の下壁部４８が当接するように配置され、リベット等で互いが締結されている。このとき、垂下部４７から下壁部４８が棟側に突出するように第１連結部材４４は配置されている。
【００２１】
この第１連結部材４４の上方から上部材１３が覆い被さるように配置されている。すなわち、上部材傾斜部２２の内側で且つ軒側に、前記第１締結部材の上壁部４６が接するようになっている。加えて、第１連結部材４４と上部材傾斜部２２との間には、前記垂下壁部材３８の重合部３９が挟み込まれており、上部材傾斜部２２の外側からビス等の締結具３３により、第１連結部材４４と上部材１３と垂下壁部材３８とが互いに連結状態で一体となっている。
この第１連結部材４４の垂下部４７により、上部材１３と下部材１２との間に上下方向に一定の空間が形成され、排気通路３５が形成されている。
【００２２】
前記上部材傾斜部２２の外側で且つ軒側には、第２連結部材４５の下壁部４８が棟側を向いて当接するように配置され、リベット等で互いが締結されている。なお、第２連結部材４５の棟側の下壁部４８と上部材傾斜部２２と前記垂下壁部材３８の重合部３９とは、リベット等の締結具３２で固定されており、強固な連結状態が実現されている。
第２連結部材４５の上壁部４６には、覆い部材傾斜部２７の内側で且つ軒側が当接するようになっている。その上で、覆い部材傾斜部２７の外側からビス等の締結具３３で両者を締結するようになっている。第２連結部材４５の垂下部４７により、覆い部材１４と上部材１３との間に上下方向に一定の空間が形成され、その部分が通風路３７となっている。
【００２３】
前記第１及び第２連結部材４５の幅は、覆い部材１４及び上部材１３及び下部材１２を連結し支えるに足る強度を有するものであればよい。また、第１及び第２連結部材４５は、上下で略一致する位置に設けられ、幅方向には略同一間隔をもって設けられている。しかしながら、幅方向への配置は千鳥配置で設けられても何ら問題はない。
一方、前記換気装置１０の幅方向両側にあっては、図３に示す如く、下部材１２の両側に、上方から棟上の棟包み５０が覆い被さるように配置されて、下部材傾斜部１６に棟包み傾斜部５１の棟側（中央部）が面接するようになっている。
【００２４】
上部材１３の幅方向両側には、それぞれ上部材側板（側板）５４が設けられてあって、この上部材側板５４は、棟包み５０の端部に略垂直に当接するようになっており、下部材傾斜部１６に重なり合っていない棟包み傾斜部５１（すなわち棟包み傾斜部５１の軒側）と棟包み垂下部５２との間の空間を塞ぐようになっている。
なお、当該上部材側板５４は、上部材傾斜部２２の軒側と上部材垂下部２３とに固定された略四角形の板からなるものであり、上部材１３を屈曲成形する際に同時に屈曲成形するものであってもよく、別途製作した板を溶着することで形成してもよい。
【００２５】
さらに、この覆い部材１４の棟方向両側には、覆い部材側板５５が覆い部材垂下部２８と略同高さで形成されている。この覆い部材側板５５の下端部は、棟包み傾斜部５１にほぼ垂直に突き当たるように配置されており、上部材側板５４と同様に換気装置１０内に棟包み５０を伝って雨水が入り込むことを防ぐようになっている。
雨水等の浸入をより効果的に防ぐために、覆い部材側板５５が棟包み傾斜部５１に当接している部分にはシーリング材を塗布しておくことが好ましい。
【００２６】
上述の如く、棟包み５０の切り取られた部分に設けられた換気装置１０は、下部材傾斜部１６に棟包み傾斜部５１が上方から重合し、棟包み垂下部５２より棟側に下部材垂下部１７が配置されるようになっている。したがって、下部材垂下部１７と上部材垂下部２３とで挟まれた空間、すなわち、排気通路３５の一部が棟包み５０内部に設けられると共に、換気装置１０の下部が棟包み５０の下方に位置する構成となっている。
これにより、棟包みの上に下部材が配置され、その上方に排気通路が形成される従来の換気装置に比べ、同じ排気通路面積（換気面積）を確保したとしても、屋根の棟部に設置された当該換気装置１０はその高さを十分に低くすることが可能となっている。
【００２７】
本換気装置１０における換気は以下のように行われる。
すなわち、外部からの空気は、図１に点線の矢印ｂで示す如く、一方の覆い部材折曲縁部２９下方から通風路３７を通って、他方の覆い部材折曲縁部２９下方から外部に排出される。一方、屋根開口部７から排出された排気は、図１に実線の矢印ａで示す如く、下部材排気口２０を通って排気通路３５に入り、上部材排気口２５まで到達する。このとき、通風路３７には外気が一方向に流れており、それに引っ張られる形で、屋根内部からの排気は通風路３７に入り込み、覆い部材折曲縁部２９下方から外部に排気される。
【００２８】
上部材排気口２５の近傍に形成された上下屈曲部３６は、雨を含んだ外気が排気通路３５内に入り込む際の抵抗となると共に、入り込んだ外気を上下させることで雨水を振り落とす働きを有するため、排気通路３５内への雨水浸入を有効に防ぐことができるようになっている。
本実施形態にかかる屋根の換気装置１０の設置方法は以下の通りである。
換気装置１０を取り付ける場合、まず、屋根開口部７が形成されている部分の棟包み５０を切り開いて取り去る。
【００２９】
次に、下部材１２を一対の屋根面４，４間に跨らせ且つ開口された棟包み部分に嵌め込むように配置し、下部材設置部１８を防水材５７を介して屋根面４上に載置して、釘等の締結具３１を上から打ち付けることで固定する。なお、一対の下部材傾斜部１６，１６には、それぞれ複数の第１連結部材４４がリベット等の締結具３２により固定されている。
その後、下部材１２の幅方向両側部に、取り去られていない棟包み５０の端を覆い被せるように配置する。さらに、複数の第２連結部材４５及び垂下壁部材３８がリベット等の締結具３２により固定されている上部材１３を、下部材１２の上方から載せ、ビス等の締結具３３により第１連結部材４４の上壁部４６に固定する。この際、上部材折曲縁部２４と下部材設置部１８とが当接する部分には、防水材５７を挟み込むことで雨水の浸入を防ぐようにすると共に、上部材側板５４が前記棟包み５０の端に略垂直に突き当たるようにする。
【００３０】
最後に、覆い部材１４を上部材１３の上から覆い被せ、覆い部材傾斜部２７を第２連結部材４５の上壁部４６上に載置する。そして、この上壁部４６と覆い部材傾斜部２７とをビス等の締結具３３で締め付け固定すればよい。この場合も、覆い部材側板５５の下端部が棟包み傾斜部５１の外側に突き当たるようにする。
図４，５は、本発明にかかる屋根の換気装置１０の第２実施形態を示したものである。
本実施形態は、下部材１２の上に上部材１３を配置し、それを覆うように覆い部材１４を被せ、下部材１２と上部材１３との間で排気通路３５を形成し、上部材１３と覆い部材１４との間で通風路３７を形成している点では、第１実施形態と略同一ではある。しかしながら、それらを連結する第１連結部材４４及び第２連結部材４５の形状が異なっている点で第１実施形態と相違している。
【００３１】
本実施形態の第１連結部材４４は、上壁部４６と、上壁部４６の軒側から下方に突出した垂下部４７と、垂下部４７の先端から軒側に突出した下壁部４８とを有している。
また、第２連結部材４５は、下壁部４８と、下壁部４８の軒側から上方に突出した起立部６０と、起立部６０の上端から軒側に延設した上壁部４６と、上壁部４６の軒側縁から下方に突出した垂下部４７とを有している。
第１連結部材４４の垂下部４７は、下部材垂下部１７に外側から接当されると共に、第１連結部材４４の下壁部４８には、下部材設置部１８が下側から重ね合わされている。加えて、前記下壁部４８と下部材設置部１８とがビス等の締結具３３により屋根面４に固定されるようになっている。これにより、下部材１２と第１連結部材４４とが一体となる。
【００３２】
第１連結部材４４の上壁部４６は、上部材傾斜部２２の内側と当接しビス等の締結具３３により固定されている。
第２連結部材４５は、軒側の垂下部４７が上部材垂下部２３に外側から接当し固定されると共に、その下壁部４８が上部材傾斜部２２に上側から重合されリベット等の締結具３２により締結されている。これにより、上部材１３と第２連結部材４５とが連結固定状態となっている。
第２連結部材４５の上壁部４６の上面には、覆い部材傾斜部２７が載置されビス等の締結具３３により締結され、覆い部材１４と第２連結部材４５とが一体となっている。
【００３３】
なお、本発明にかかる屋根の換気装置１０は、上記実施の形態に限定されるものではない。
例えば、下部材１２開口部や上部材１３開口部は、図３に示すような棟方向に長い矩形である必要はなく、円孔が棟方向に複数設けられるものであってもよい。
また、図１，４において、外気は通風路３７を左から右へ流れているが、右から左へ流れてもよく、その方向が適宜変化するものであっても、排気装置１０の排気性能には何ら影響を及ぼすものではない。
【００３４】
また、覆い部材１４は必ずしも必要ではなく、下部材１２と上部材１３とだけで換気装置１０を構成してもよい。この際、上部材排気口２５を上部材垂下部２３に形成し、そこから雨水が浸入することを防ぐようにするとよい。
【００３５】
【発明の効果】
本発明によれば、屋根、特に棟部に取り付けた際に、高さを低く抑えることのできる屋根の換気装置１０を提供することが可能となる。
【図面の簡単な説明】
【図１】本発明の第１実施形態を示す換気棟の断面図である。
【図２】第１実施形態の軒側の断面図である。
【図３】第１実施形態の分解斜視図である。
【図４】本発明の第２実施形態を示す換気棟の断面図である。
【図５】第２実施形態の軒側の断面図である。
【符号の説明】
４      屋根面
７      屋根開口部
１０    換気装置
１２    下部材
１３    上部材
１６    下部材傾斜部
１７    下部材垂下部
２２    上部材傾斜部
２３    上部材垂下部
３５    排気通路
３６    上下屈曲部
３７    通風路
５０    棟包み
５１    棟包み傾斜部
５２    棟包み垂下部
５４    上部材側板
【図１】
2004244917.tif 000003
【図２】
2004244917.tif 000004
【図３】
2004244917.tif 000005
【図４】
2004244917.tif 000006
【図５】
2004244917.tif 000007